(57)【要約】      （修正有）【課題】磁力により連結できるようにすることで、作業効率が良く、隣接する床パネルがずれ難いようにした床パネルシステムを提供する。【解決手段】複数の床パネル１を連結して構成され、各床パネル１を連結するための連結手段は、床パネル１の側面１ａに沿って設けられた溝部２と、溝部２に嵌め込まれるジョイント部３と、溝部２又はジョイント部３の双方又は一方に設けられた磁石部４とを備え、隣接する床パネルの溝部２が対向して配置され、ジョイント部３が隣接する床パネル１に跨るように嵌め込まれ、磁石部４の磁力で連結される。【選択図】図１
0003170608.tif 000002
【実用新案登録請求の範囲】
【請求項１】
複数の床パネルを連結して構成される床パネルシステムであって、
前記各床パネルを連結するための連結手段は、
前記床パネルの側面に沿って設けられた溝部と、前記溝部に嵌め込まれるジョイント部と、前記溝部又は前記ジョイント部の双方又は一方に設けられた磁石部とを備え、
隣接する前記床パネルの溝部が対向して配置され、前記ジョイント部が前記隣接する床パネルに跨るように嵌め込まれ、前記磁石部の磁力で連結されることを特徴とする床パネルシステム。
【請求項２】
さらに、前記床パネルの溝部に嵌め込まれて取り付けられるエンド部を備え、
前記溝部は、前記床パネルの全周側面に設けられ、
前記エンド部は、前記隣接する床パネルが連結されない前記床パネルの溝部に取り付けられる凸部と、前記床パネルが敷かれる床面に対して傾斜するスロープ面とを有することを特徴とする請求項１に記載の床パネルシステム。
【請求項３】
前記磁石部は、前記床パネルに埋め込まれ、揺動可能に構成されており、前記磁石部の表面が、前記溝部の側面に露出することを特徴とする請求項１又は２に記載の床パネルシステム。
【考案の詳細な説明】
【技術分野】
【０００１】
本考案は、フローリングや絨毯地などの床面の上に敷く床パネルシステムに関するものである。
【背景技術】
【０００２】
ハイヒールを履いてダンスをする際や展示物を設置する際などにおいて、フローリングや絨毯地などの床面が傷まないように、床面の上に敷設する床パネルシステムがある。そして、この床パネルシステムの上で、ダンスをしたり展示物を設置して、フローリングや絨毯地などが傷まないようにする。床パネルシステムは、所望の面積に形成できるように、複数の床パネルを連結して構成される。
【０００３】
一般に、床パネルは、木材からなるランバーコアを芯材として、このランバーコアの上面及び下面にビニル系のソフトタイルを設けてなる。床パネルは、平面形状において、正方形のものが一般的であるが、長方形、三角形、扇形などがある。
【０００４】
従来の床パネルシステムでは、各床パネルを連結する手段として、ねじを使ったり、ほぞを使っていた。ねじを使って連結すると、手間や時間がかかり作業効率が低下するという問題がある。また、ほぞを使って連結すると、隣接する床パネルが簡単にずれるという問題がある。
【考案の概要】
【考案が解決しようとする課題】
【０００５】
そこで、本考案が解決しようとする課題は、連結する際の作業効率が良く、隣接する床パネルがずれ難い連結手段を備えた床パネルシステムを提供することである。
【課題を解決するための手段】
【０００６】
上記課題を解決するために、本考案に係る床パネルシステムは、
複数の床パネルを連結して構成される床パネルシステムであって、
各床パネルを連結するための連結手段は、
床パネルの側面に沿って設けられた溝部と、溝部に嵌め込まれるジョイント部と、溝部又はジョイント部の双方又は一方に設けられた磁石部とを備え、
隣接する床パネルの溝部が対向して配置され、ジョイント部が隣接する床パネルに跨るように嵌め込まれ、磁石部の磁力で連結される。
【０００７】
好ましくは、
さらに、床パネルの溝部に嵌め込まれて取り付けられるエンド部を備え、
溝部は、床パネルの全周側面に設けられ、
エンド部は、隣接する床パネルが連結されない床パネルの溝部に取り付けられる凸部と、床パネルが敷かれる床面に対して傾斜するスロープ面とを有する。
【０００８】
好ましくは、
磁石部は、床パネルに埋め込まれ、揺動可能に構成されており、磁石部の表面が、溝部の側面に露出する。
【考案の効果】
【０００９】
上記の通り、本考案に係る床パネルシステムは、各床パネルを連結するための連結手段を備え、連結手段は、床パネルの側面に沿って設けられた溝部と、溝部に嵌め込まれるジョイント部と、溝部又はジョイント部の双方又は一方に設けられた磁石部とを備える。そして、床パネルシステムは、隣接する床パネルの溝部が対向して配置され、ジョイント部が隣接する床パネルに跨るように嵌め込まれ、磁石部の磁力で連結される。
【００１０】
このように、ジョイント部を隣接する床パネルの溝部に跨って嵌め込み、磁石部の磁力で各床パネルを容易に連結できるので、手間や時間がかからず、連結作業の効率に非常に優れる。さらに、磁石部の磁力で各床パネルを連結するので、隣接する床パネルがずれ難いようになっている。
【図面の簡単な説明】
【００１１】
【図１】床パネルシステムを示す斜視図。
【図２】床パネルシステムを示す断面図。
【考案を実施するための形態】
【００１２】
以下、図面に基づいて、本考案に係る床パネルシステムについて説明する。
【００１３】
図１の通り、床パネルシステムは、複数の床パネル１で構成される。本実施形態では、床パネル１は、平面形状において、正方形で構成される。なお、床パネル１は、長方形、三角形、扇形などもある。図２の通り、床パネル１は、滑動を防止したり、クッション性を向上するために、下面にゴム部１３を備える。
【００１４】
図２の通り、床パネル１は、芯材となる木材製のランバーコア１０を備える。床パネル１は、ランバーコア１０の上面及び下面に取り付けられたビニル系のソフトタイル１１を備える。ソフトタイル１１は、表面がフローリング調に化粧される。なお、ソフトタイル１１は、自然石調やタイル調などに化粧してもよい。
【００１５】
床パネル１は、全側面（全周面）１ａに溝部２が形成されるように、全側面１ａに取り付けられたコ字形状の溝部形成金具１２を備える。溝部２は、その開口部が床パネル１の外側に向けられる。なお、本実施形態では、溝部２は、全側面１ａに設けられているが、床パネル１を接続する側面１ａに設ければよい。
【００１６】
さらに、床パネル１は、磁石部４を備える。磁石部４は、ランバーコア１０に埋め込まれる。磁石部４は、溝部形成金具１２の内側の側面に取り付けられ、溝部形成金具１２の外側の側面にＮ極及びＳ極が露出する。すなわち、磁石部４は、Ｎ極及びＳ極が溝部２の側面に表れるように配置される。図１の通り、磁石部４は、床パネルの側面１ａにおいて、所定間隔を置いて、溝部２に配置される。
【００１７】
床パネルシステムは、各床パネル１を接続するためのジョイント部３を備える。ジョイント部３は、磁石部４の磁力で連結されるスチールなどの金属部材からなる。ジョイント部３は、断面が四角形状の長尺部材からなる。そして、図２の通り、ジョイント部３は、隣接する床パネル１の溝部２に跨るように嵌め込まれる。従って、ジョイント部３は、その断面形状が、隣接する床パネル１を当接することによって形成される溝部２の四角形状の空間に一致する。
【００１８】
隣接する床パネル１の溝部２に跨るようにジョイント部３を嵌め込み、ジョイント部３が溝部２に表れた磁石部４の磁力で連結され、これによって、隣接する床パネル１が接続される。このように、隣接する床パネル１を連結するための連結手段は、溝部２、ジョイント部３、磁石部４で構成される。
【００１９】
床パネルシステムは、エンド部５を備える。エンド部５は、床パネル１の溝部２に取り付けられ、隣接する床パネル１が連結されない側面１ａに取り付けられる。エンド部５は、床パネル１の溝部２に嵌め込まれる凸部５１を備える。また、エンド部５は、床面Ｇに対して傾斜するスロープ面５０を備える。エンド部５によって、床パネル１と床面Ｇとの段差によって使用者がつまずくことを防止できる。
【００２０】
本実施形態では、エンド部５は、耐久性や軽量性に優れたアルミ製部材で、磁石に連結されないので、凸部５１に磁石部４を備える。そして、床パネル１の磁石部４とエンド部５の磁石部４との磁力によって、エンド部５が床パネル１に取り付けられる。
【００２１】
なお、ジョイント部３に磁石部４を設けて、溝部形成金具２を磁性体金属で構成してもよい。すなわち、溝部２又はジョイント部３の双方又は一方に磁石部４を設けて、磁石部４の磁力によって溝部２とジョイント部３とを連結すればよい。
【００２２】
また、磁石部４は、板ばね等のばね手段を備えて、このばね手段によって若干揺動可能なように構成されたものが好ましい。この磁石部４は、隣接する床パネル１が揺動しても、この揺動に合わせて磁石部４が揺動することで、各床パネル１の連結状態を確実に維持できる。
【符号の説明】
【００２３】
１  床パネル
１ａ  床パネルの側面
２  溝部
３  ジョイント部
４  磁石部
５  エンド部
５０  エンド部のスロープ部
５１  エンド部の凸部
【図１】
0003170608.tif 000003
【図２】
0003170608.tif 000004